(57)【特許請求の範囲】
【請求項１】
連続シートの両面への印刷を実行させることが可能な印刷制御装置であって、
給紙部から連続シートを引き出して前記連続シートの第１面への印刷を実行する印刷手段と、
前記第１面への印刷が施された前記連続シートを巻き取る巻き取り手段と、
前記連続シートを切断する切断手段と、
印刷中止指示を受け付ける受付手段と、
制御手段を有し、
前記切断された連続シートが前記巻き取り手段により巻き取られ、
前記巻き取り手段から引き出された前記連続シートが前記印刷手段に到達する場合、前記連続シートの印刷の対象の面が前記第１面とは反対側の第２面になり、
前記巻き取り手段から引き出された前記連続シートの第２面へ印刷する場合、前記制御手段は、前記第１面において最後に印刷したページの反対側に対応するページから印刷を開始させ、前記受付手段で前記印刷中止指示を受け付けた場合に連続シートの第１面への印刷中であれば、前記制御手段は、第１面への印刷を中止させるとともに前記切断手段に前記連続シートを切断させ、
前記印刷中止指示により第１面への印刷が中止され、かつ、前記切断された連続シートが前記巻き取り手段から引き出されて前記第２面への印刷が実行される場合、前記制御手段は、前記第１面への印刷が中止されたページの１つ前のページの反対側に対応するページから前記第２面への印刷を開始させることを特徴とする印刷制御装置。
【請求項２】
前記制御手段は、第２面への印刷は、第１面への印刷が行われたページの反対面について行わせることを特徴とする請求項１に記載の印刷制御装置。
【請求項３】
前記制御手段は、第２面への印刷は、第１面への印刷が１つの印刷ジョブ分完了しているものについて行わせることを特徴とする請求項１に記載の印刷制御装置。
【請求項４】
前記制御手段は、前記受付手段で前記印刷中止指示を受け付けた場合、中止可能なタイミングまで第１面への印刷を継続させた後に第１面の印刷を中止させることを特徴とする請求項１〜３のいずれか１項に記載の印刷制御装置。
【請求項５】
前記制御手段は、前記受付手段で指示を受け付けた場合に第２面への印刷中であれば、当該第２面への印刷にかかる印刷ジョブの印刷は中止し、第１面への印刷が完了している印刷ジョブの第２面への印刷を行わせることを特徴とする請求項１〜４のいずれか１項に記載の印刷制御装置。
【請求項６】
前記制御手段は、前記受付手段で前記印刷中止指示を受け付けた場合、複数の中止方法のうちのいずれかを選択し、選択された方法に従って印刷を中止させることを特徴とする請求項１〜５のいずれか１項に記載の印刷制御装置。
【請求項７】
給紙部から連続シートを引き出して前記連続シートの第１面への印刷を実行する印刷手段と、
前記第１面への印刷が施された前記連続シートを巻き取る巻き取り手段と、
前記連続シートを切断する切断手段と、
印刷中止指示を受け付ける受付手段と、
制御手段を備え、前記連続シートの両面への印刷を実行させることが可能な印刷制御装置における制御方法であって、
前記切断された連続シートが前記巻き取り手段により巻き取らせ、
前記巻き取り手段から引き出された前記連続シートが前記印刷手段に到達する場合、前記連続シートの印刷の対象の面が前記第１面とは反対側の第２面になり、
前記巻き取り手段から引き出された前記連続シートの第２面へ印刷する場合、前記第１面において最後に印刷したページの反対側に対応するページから印刷を開始させ、
前記受付手段で前記印刷中止指示を受け付けた場合に連続シートの第１面への印刷中であれば、第１面への印刷を中止させるとともに前記切断手段に前記連続シートを切断させ、
前記印刷中止指示により第１面への印刷が中止され、かつ、前記切断された連続シートが前記巻き取り手段から引き出されて前記第２面への印刷が実行される場合、前記第１面への印刷が中止されたページの１つ前のページの反対側に対応するページから前記第２面への印刷を開始させることを特徴とする印刷制御方法。
【発明の詳細な説明】
【技術分野】
【０００１】
本発明は、連続シートを用いて印刷を行うための印刷制御装置、方法及びプログラムに関する。
【背景技術】
【０００２】
従来、ロール紙等の連続シートの両面に画像を印刷させる場合に、印刷手段に導入させた連続紙の片面への印刷後、当該連続紙を切断して一時的に巻取り、当該連続紙を印刷手段に再導入させて反対面への印刷を行うものがある。このような印刷装置では、効率的な印刷を行うため、片面への印刷を複数ページ分連続して行い、片面への全ページ分の印刷が終了したら反対面への印刷を行う。
【先行技術文献】
【特許文献】
【０００３】
【特許文献１】特開平１１−２４９３４６号公報
【発明の概要】
【発明が解決しようとする課題】
【０００４】
このような手順で両面印刷を行わせる際、片面への印刷を行っている途中でユーザにより印刷の中止が指示された場合、反対面への印刷が行われないまま連続紙が排紙されることになる。即ち、排紙されたものは片面のみに画像が印刷されたものであり、ユーザが当初意図したものとはなっていない。従って、片面のみが印刷されたものは無駄なものとなってしまう。
【０００５】
本発明は、上述の問題点に鑑みなされたもので、連続シートの両面に画像を印刷させている際に印刷中止が指示された場合、シートを無駄にせずに印刷を中止できる印刷制御装置、方法及びプログラムを提供するものである。
【課題を解決するための手段】
【０００６】
連続シートの両面への印刷を実行させることが可能な印刷制御装置であって、給紙部から連続シートを引き出して前記連続シートの第１面への印刷を実行する印刷手段と、前記第１面への印刷が施された前記連続シートを巻き取る巻き取り手段と、前記連続シートを切断する切断手段と、印刷中止指示を受け付ける受付手段と、制御手段を有し、前記切断された連続シートが前記巻き取り手段により巻き取られ、前記巻き取り手段から引き出された前記連続シートが前記印刷手段に到達する場合、前記連続シートの印刷の対象の面が前記第１面とは反対側の第２面になり、前記巻き取り手段から引き出された前記連続シートの第２面へ印刷する場合、前記制御手段は、前記第１面において最後に印刷したページの反対側に対応するページから印刷を開始させ、前記受付手段で前記印刷中止指示を受け付けた場合に連続シートの第１面への印刷中であれば、前記制御手段は、第１面への印刷を中止させるとともに前記切断手段に前記連続シートを切断させ、前記印刷中止指示により第１面への印刷が中止され、かつ、前記切断された連続シートが前記巻き取り手段から引き出されて前記第２面への印刷が実行される場合、前記制御手段は、前記第１面への印刷が中止されたページの１つ前のページの反対側に対応するページから前記第２面への印刷を開始させることを特徴とする。
【発明の効果】
【０００７】
本発明によれば、連続シートの両面に印刷を実行させる際に印刷中止の指示を受け付けた場合、連続シートの第１面への印刷中であれば、第２面への印刷に切り替えるので、第１面への印刷を終えたシートを無駄にしないようにすることができる。
【図面の簡単な説明】
【０００８】
【図１】本発明の実施形態の一例である画像形成装置の構成を示す図である。
【図２】図１の画像形成装置の制御に関わる構成を示すブロック図である。
【図３】複数の両面印刷ジョブを連続して印刷させる場合の印刷順序を示す図である。
【図４】印刷中止が指示された場合の処理の流れを示すフローチャートである。
【発明を実施するための形態】
【０００９】
以下、本発明を実施するための形態について図面を用いて説明する。なお、この実施の形態で用いる装置の各構成要素の相対配置、装置形状等は、あくまで例示であり、それらのみに限定するものではない。
【００１０】
図１は、本実施形態における印刷制御装置の一例となる画像形成装置の概略構成を示す図である。図１の画像形成装置は、外部装置から受信したデータを印刷する印刷機能のみを有したものを示すが、これに限らず、原稿上の画像を読取る読取装置をさらに備えて複写機として機能するものや他の機能を加えた複合装置としてもよい。
【００１１】
また、印刷処理を行う記録材（被記録媒体または記録シート）としてロールシートを用いたものを例に説明する。このロールシートは連続シートの例であるが、ロール状となったもの以外でもよい。また、連続シートの切断は、画像形成装置が自動的に切断するものであってもよいし、ユーザがマニュアル指示を行って切断するものであってもよい。記録材の材質も紙には限らず、印刷処理可能なものであれば種々のものを用いることができる。また、画像形成装置は、連続シートへの印刷のみではなく、所定のサイズに予めカットされたカットシートへの印刷が可能な画像形成装置としてもよい。
【００１２】
また、印刷方式は後述する画像印刷用液体インクを用いたインクジェット方式による画像の印刷には限らない。記録材に付与する記録剤として固形インクを用いてもよいし、トナーを用いた電子写真方式、昇華方式、熱転写方式、ドットインパクト方式など種々のものを採用可能である。また、複数色の記録剤を用いたカラー記録を行うものには限らず、黒色（グレーを含む）のみによるモノクロ記録を行うものとしてもよい。また、印刷は、可視画像の印刷には限らず、不可視もしくは視認が困難な画像の印刷としてもよいし、一般的な画像以外の、例えば配線パターン、部品の製造における物理的パターン、ＤＮＡの塩基配列等のプリントなど種々のものの印刷としてもよい。つまり、記録剤を記録材に付与可能なものであれば種々のタイプの記録装置に適用可能である。また、図１の画像形成装置と接続された外部装置からの指示で当該画像形成装置における印刷処理の動作を制御させる場合、この外部装置が印刷制御装置となる。
【００１３】
図１は、記録材としてロールシート（搬送方向において印刷単位（１ページ）の長さよりも長い連続した連続シート）を用いた画像形成装置の全体構成の概略を示す断面図である。画像形成装置は、以下の構成要素１０１〜１１５を含み、これらが１つの筐体内に配置される。ただし、これらの構成要素を複数の筐体に分けて構成してもよい。
【００１４】
制御ユニット１０８は、コントローラ（ＣＰＵまたはＭＰＵを含む）やユーザインターフェース情報の出力器（表示情報や音響情報などの発生器）、各種Ｉ／Ｏインターフェースを備えた制御部を内蔵し、画像形成装置全体の各種制御を司る。
【００１５】
ロールシートを収納し、そして供給するユニットとして上段シートカセット１０１ａと下段シートカセット１０１ｂの２基を備える。使用者はロールシート（以下、シート）をマガジンに装着してから画像形成装置本体に装填する。上段シートカセット１０１ａから引き出されたシートは図中ａ方向に、下段シートカセット１０１ｂから引き出されたシートは図中ｂ方向にそれぞれ搬送される。いずれのカセットからのシートも図中ｃ方向に進行して搬送ユニット１０２に到達する。搬送ユニット１０２は、複数の回転ローラ１０４を通して印刷処理中にシートを図中ｄ方向（水平方向）に搬送する。供給元のシートカセットを一方から他方に切り替える際は、既に引き出されているシートをカセット内に巻き戻し、新たに供給させるシートがセットされているカセットから新たに供給する。また、シートカセットは２基単位で増設も可能であり、増設されるシートカセットは図１で見てシートカセット１０１ａ、１０１ｂの右側に配置され、やはりａ方向、ｂ方向にシートが搬送される。各シートカセットのロールシートを交換する際には、ユーザがシートマガジンのドアをオープンさせ、ロールシートまたはロールシートを使い切っている場合にはロールの芯を抜き取り、新たなロールシートを装着させる。シートマガジンのドアがオープンされている間は、当該シートカセットからのシートの供給処理は禁止される。
【００１６】
また、各シートカセットにセットされているロールシートはセンサによってロールの直径が計測され、おおよその残量（長さ）が判定される。そして印刷処理によってロールシートが使用されるとその長さを計測し、残量を更新する。またロールシートの直径も定期的に計測され、残量は適宜補正される。なお、直径の計測に代え、半径の計測や、ロールの芯から最も外側の位置までの距離を計測するなど、種々の方法を用いてもよい。
【００１７】
搬送ユニット１０２の上方にはヘッドユニット１０５が搬送ユニット１０２と対向して配置される。ヘッドユニット１０５では複数色（本実施形態では７色）分の独立した印刷ヘッド１０６がシートの搬送方向に沿って保持されている。本例ではＣ（シアン）、Ｍ（マゼンタ）、Ｙ（イエロー）、ＬＣ（ライトシアン）、ＬＭ（ライトマゼンタ）、Ｇ（グレー）、Ｋ（ブラック）の７色に対応した７つの印刷ヘッドを有す。もちろん、これら以外の色を用いたものでもよいし、これらの全てを用いる必要もない。
【００１８】
本画像形成装置は、搬送ユニット１０２によるシートの搬送に同期させて、印刷ヘッド１０６からインクを吐出させてシート上に画像を形成する。なお、印刷ヘッド１０６はインクの吐出先が回転ローラ１０４と重ならない位置に配置される。インクはシートに直接吐出させるのに代え、中間転写体にインクを付与した後、そのインクをシートに付与することによって画像を形成させるものとしてもよい。
【００１９】
これら搬送ユニット１０２、ヘッドユニット１０５、印刷ヘッド１０６を含んで本実施形態の印刷用ユニットが構成されている。
【００２０】
インクタンク１０９は各色のインクを独立して貯蔵する。インクタンク１０９からはチューブによって各色に対応して設けられたサブタンクまでインクが供給され、サブタンクから各印刷ヘッド１０６までチューブを介してインクが供給される。印刷ヘッド１０６は、印刷時の搬送方向ｄ方向に沿って各色（本実施形態では７色）のラインヘッドが並んでいる。各色のラインヘッドは、継ぎ目無く単一のノズルチップで形成されたものであってもよいし、分割されたノズルチップが一列又は千鳥配列のように規則的に並べられたものであってもよい。本実施形態では、本装置が使用可能な最大サイズのシートの印刷領域の幅分をカバーする範囲にノズルが並んでいる所謂フルマルチヘッドとする。ノズルからインクを吐出するインクジェット方式は、発熱素子を用いた方式、ピエゾ素子を用いた方式、静電素子を用いた方式、ＭＥＭＳ素子を用いた方式等を採用することができる。印刷データに基づいて各ヘッドのノズルからインクが吐出されるが、吐出のタイミングは搬送用エンコーダ１０３の出力信号によって決定される。
【００２１】
シートに画像が形成された後、当該シートは搬送ユニット１０２から、スキャナユニット１０７まで搬送される。スキャナユニット１０７では、シート上の印刷画像や特殊パターンを光学的に読取って印刷画像に問題がないかどうかの確認や、インクの吐出状態を含む本装置の状態確認等を行う。印刷画像の確認方法としては、ヘッドの状態の確認するためのパターンを読み込むことによるインクの吐出状態を確認するものでもよいし、元画像との比較を行うことによる印刷の成否を確認するものでもよい。確認の方法は種々のものの中から適宜選択することが可能である。
【００２２】
シートはスキャナユニット１０７近傍からｅ方向に搬送され、カッタユニット１１０に導入される。カッタユニット１１０ではシートを所定の印刷単位の長さ毎に切断する。印刷する画像サイズに応じてこの所定の印刷単位の長さは異なる。例えばＬ版サイズの写真では搬送方向の長さは１３５ｍｍ、Ａ４サイズでは搬送方向の長さは２９７ｍｍとなる。カッタユニット１１０は、片面印刷の場合はページ単位でシートを切断するが、印刷ジョブの内容によってはページ単位で切断しない場合もある。また、カッタユニット１１０は両面印刷の場合、シートの第１面（先に印刷が行われる面。たとえばおもて面）はページ単位で切断せずに所定の長さ分まで画像を連続して印刷し、第２面（後に印刷が行われる面。たとえば裏面）を印刷した場合にページ単位で切断する。なお、カッタユニット１１０は、片面印刷や両面印刷の裏面印刷に際し、１枚の画像毎に切断するものに限らない。所定の長さ分搬送されるまで切断せず、所定の長さまで搬送された後で切断し、１枚（１頁）の画像毎に切り離すのは別のカッタ装置で手動操作等によって切断するものとしてもよい。またシートの幅方向に関しては、切断が必要な場合、別のカッタ装置を用いて切断することになる。
【００２３】
カッタユニット１１０から搬送されたシートは、ユニット内を図中ｆ方向に搬送され、裏面印字ユニット１１１に搬送される。裏面印字ユニット１１１は、シートの片面のみに画像を印刷する場合に、シートの裏面に所定の情報を印刷させるためのユニットである。シートの裏面に印刷する情報としては、印刷画像毎に対応した文字、記号、コード等の情報（例えば、オーダー管理用番号等）が含まれる。裏面印字ユニット１１１は、印刷ヘッド１０６が両面印刷の印刷ジョブのための画像を印刷する場合、印刷ヘッド１０６が画像を印刷する領域以外に上記のような情報を印刷する。裏面印字ユニット１１１は、記録剤の押印、熱転写、インクジェットなどの方式を採用可能である。
【００２４】
裏面印字ユニット１１１を通ったシートは、次に乾燥ユニット１１２に搬送される。乾燥ユニット１１２は、インクが付与されたシートを短時間で乾燥させるために、ユニット内を図中ｇ方向に通過するシートを温風（加温された気体（空気））で加熱するユニットである。なお、乾燥の方法は温風を用いるのに代え、冷風、ヒーターによる加温、待機させることのみによる自然乾燥、紫外光等の電磁波の照射など種々のものも採用可能である。印刷単位長さに切断されたシートは１枚ずつ乾燥ユニット１１２内を通過して、図中ｈ方向に搬送されて仕分けユニット１１４に搬送される。
【００２５】
仕分けユニット１１４は、複数のトレー（本実施形態では１８個）を保持しており、印刷単位の長さ等に応じでシートの排出先のトレーを区別する。各トレーにはトレー番号が割り当てられている。仕分けユニット１１４では、ユニット内を図中ｉ方向に通過するシートを、各トレー上に設けられたセンサでトレーの空きやシートが満載か否かなどを確認しながら印刷画像毎に設定されたトレー番号に対応するトレーに排出していく。切断されたシートの排出先となるトレーは、印刷ジョブの発行元（ホスト装置）で特定のものが指定される場合や、画像形成装置側で空いているトレーが任意に指定される場合がある。１つのトレーには予め決められた枚数まで排出可能である。この予め決められた枚数を超える印刷ジョブの場合、複数のトレーに跨って排出される。トレーに対して排出可能なシートの枚数やサイズ、種類などは、そのトレーの大きさ（タイプ）等によって異なっている。図１において縦（上下）に並んでいるトレー（以下、大トレー）群は大サイズ（Ａ４サイズ等、Ｌ版サイズより大きいもの）のシート、小サイズ（Ｌ版サイズ）の両方のシートの排出が可能である。また、横（左右）に並んでいるトレー（以下、小トレー）群は小サイズ（Ｌ版サイズ）のシートの排出が可能であるが大サイズのシートの排出はできない。そして、大トレーの方が小トレーより排出可能なシートの出力枚数が多い。
【００２６】
また、シート排出中や排出完了等の状態は、表示器を用いてユーザが識別可能にする（例えば、ＬＥＤ等を用いる）。例えば、トレーのそれぞれに互いに異なる色で発光する複数のＬＥＤを設け、点灯しているＬＥＤの色や点灯状態か点滅状態かなどによって各トレーの種々の状態をユーザに通知可能である。また、複数のトレーのそれぞれには優先順位を付すことができ、画像形成装置は、印刷ジョブを実行するにあたり、空いている（シートが存在しない）トレーを、優先順位に従って順にシートの排出先として割り当てていく。デフォルトでは、大トレーは上のトレーほど優先順位が高く、小トレーは左側ほど優先順位が高い。また大トレーより、小トレーの優先順位が高い。この優先順位はユーザがシートを取り出しやすい位置の優先順位を予め高くしておいてもよい。またユーザによる操作等で適宜変更可能なものとしてもよい。
【００２７】
シート巻取りユニット１１３は、ページ毎に切断されずにおもて面が印刷されたシートの巻取りを行う。両面印刷の際にはまずおもて面に画像形成が行われたシートを、カッタユニット１１０でページ単位では切断せず、連続したおもて面の印刷が終了した後に切断する。おもて面が印刷されたシートは、ユニット内を図中のｊ方向に通過し、シート巻取りユニット１１３が巻取る。そして、一連のページ分のおもて面の画像形成が終了して、巻き取られたシートは、先のおもて面とは反対面を印刷可能な面にして、つまり印刷ヘッド１０６に対向させる面を反転させて、再度ユニットの図中のｋ方向に搬送される。このように搬送させることで、先のおもて面とは反対の裏面の画像の印刷を行わせる。通常の片面印刷の場合は、画像が印刷されたシートは、シート巻取りユニット１１３による巻取りを行わせずに仕分けユニット１１４に搬送される。
【００２８】
このように、両面印刷の際は、シート巻取りユニット１１３を用いてシートの巻取りを行い、シートを反転させて裏面の印刷を行うため、片面印刷のときと両面印刷のときとでは仕分けユニット１１４への排出の際のシートの面が異なる。即ち、片面印刷の場合はシート巻取りユニット１１３を用いたシートの反転が行われないので、先頭ページの画像が印刷されたシートは先頭ページの画像が下を向いた状態で排出される。そして１つの印刷ジョブが複数ページあるジョブの場合、先頭ページのシートからトレーに排出され、以後後続のページへと順次排出されシートが重なっていく。このような排出をフェイスダウン排出と呼ぶ。一方、両面印刷の場合はシート巻取りユニット１１３を用いたシートの反転が行われるので、先頭ページの画像が印刷されたシートは先頭ページの画像が上を向いた状態で排出される。そして１つの印刷ジョブが複数枚のシートの出力を行うジョブの場合、最後のページを含むシートからトレーに排出され、以後若いページのシートへと順次排出されシートが重なっていき、最終的に先頭ページの画像が印刷されたシートが排出される。このような排出をフェイスアップ排出と呼ぶ。なお、片面印刷の場合と両面印刷の場合とで排出の際のシートの面を同じ（フェイスアップまたはフェイスダウンに統一）とすべく、片面印刷時と両面印刷時とで第１面の印刷順序（降順とするか昇順とするか）を変えるようにしてもよい。
【００２９】
操作ユニット１１５は、ユーザが種々の操作を行ったり、ユーザに種々の情報を通知したりするためのユニットである。例えば、ユーザに指定された画像が印刷されたシートはどこのトレーに積載されているか、あるいは当該画像が印刷中か印刷終了かなど、オーダー毎の印刷状況の確認が可能である。また、インク残量や、シートの残量等、装置の各種状態の確認、ヘッドクリーニング等の装置メンテナンスの実施の指示を行うためにユーザが操作／確認可能である。
【００３０】
図２は、図１で示した画像形成装置における制御に関わる構成を説明するためのブロック図である。画像形成装置２００は図１に示した画像形成装置である。ただし、以下の構成は一例であり、種々の変更が可能である。
【００３１】
ＣＰＵ２０１、ＲＯＭ２０２、ＲＡＭ２０３、画像処理部２０７、エンジン制御部２０８、スキャナ制御部２０９が主に制御ユニット１０８に含まれる。そして、制御ユニット１０８にＨＤＤ２０４、操作部２０６、外部Ｉ／Ｆ２０５などがシステムバス２１０を介して接続される。
【００３２】
ＣＰＵ２０１は、マイクロプロセッサ（マイクロコンピュータ）形態の中央演算処理部であり、図１の制御ユニット１０８に含まれる。ＣＰＵ２０１は、プログラムの実行やハードウェアの起動により画像形成装置２００全体の動作を制御する。ＲＯＭ２０２は、ＣＰＵ２０１が実行するためのプログラムや画像形成装置２００の各種動作に必要な固定データを格納する。ＲＡＭ２０３は、ＣＰＵ２０１のワークエリアとして用いられたり、種々の受信データの一時格納領域として用いられたり、各種設定データを記憶させたりする。ＨＤＤ２０４は、ＣＰＵ２０１が実行するためのプログラム、印刷データ、画像形成装置２００の各種動作に必要な設定情報を、内蔵するハードディスクに記憶させたり、読み出したりすることが可能である。なお、ＨＤＤ２０４に代えて、他の大容量記憶装置としてもよい。
【００３３】
操作部２０６は、ユーザが種々の操作を行うためのハードキーやタッチパネル、またユーザに種々の情報を提示（通知）するための表示部を含み、図１の操作ユニット１１５に対応するものである。またユーザへの情報の提示は音声発生器からの音響情報に基づく音響（ブザー、音声等）を出力することによっても行うこともできる。
【００３４】
画像処理部２０７は、画像形成装置２００で扱う印刷データ（例えば、ページ記述言語で表されたデータ）の画像データ（ビットマップ画像）への展開（変換）や画像処理を行う。入力された印刷データに含まれる画像データの色空間（たとえばＹＣｂＣｒ）を、標準的なＲＧＢ色空間（たとえばｓＲＧＢ）に変換する。また、画像データに対し、有効な（画像形成装置２００が印刷処理可能な）画素数への解像度変換、画像解析、画像補正等、様々な画像処理が必要に応じて施される。これらの画像処理によって得られた画像データは、ＲＡＭ２０３または、ＨＤＤ２０４に格納される。
【００３５】
エンジン制御部２０８は、ＣＰＵ２０１等から受信した制御コマンドに応じて、印刷データに基づく画像をシート上に印刷する処理の制御を行う。各色の印刷ヘッド１０６へのインク吐出指示や、記録媒体上でのドット位置（インクの着弾位置）を調整するための吐出タイミング設定、ヘッド駆動状態取得に基づく調整等を行う。印刷データに応じて印刷ヘッドの駆動制御を行い、印刷ヘッドからインクを吐出させシート上に画像を形成させる。また、シートをカセットから引き出す引き出しローラの駆動指示、引き出されたシートを搬送させる搬送ローラの駆動指示、搬送ローラの回転状況取得等を行う等、搬送ローラの制御を行い、シートを適切な速度及び経路で搬送および停止させる。
【００３６】
スキャナ制御部２０９は、ＣＰＵ２０１等から受信した制御コマンドに応じて、イメージセンサーの制御を行い、シート上の画像を読取り、赤（Ｒ）、緑（Ｇ）および青（Ｂ）色のアナログ輝度データを取得し、デジタルデータに変換する。イメージセンサーとしては、ＣＣＤイメージセンサーやＣＭＯＳイメージセンサー等を採用可能である。また、イメージセンサーはリニアイメージセンサーとしてもエリアイメージセンサーとしてもよい。また、スキャナ制御部２０９は、イメージセンサーの駆動指示、該駆動に基づくイメージセンサーの状況取得を行い、イメージセンサーから取得した輝度データを解析し、印刷ヘッド１０６からのインクの不吐やシートの切断位置の検出等を行う。スキャナ制御部２０９で画像が正しく印刷されていると判定されたシートは、シート上のインクの乾燥処理が施された後に、指定された仕分けユニットのトレーに排出される。
【００３７】
ホスト装置２１１は、上述した外部装置に対応し、本画像形成装置２００の外部に接続され、画像形成装置２００に印刷を行わせるための画像データの供給源となる装置であり、種々の印刷ジョブのオーダーを発行する。
【００３８】
ホスト装置２１１は、汎用のパーソナルコンピュータ（ＰＣ）によって実現してもよいし、他のタイプのデータ供給装置としてもよい。他のタイプのデータ供給装置としては、画像をキャプチャーして画像データを生成する画像キャプチャー装置がある。画像キャプチャー装置は、原稿上の画像を読取って画像データを生成するリーダ（スキャナ）、ネガフィルムやポジフィルムを読取って画像データを生成するフィルムスキャナなどである。また、画像キャプチャー装置の他の例として静止画を撮影してデジタル画像データを生成するデジタルカメラ、動画を撮影して動画像データを生成するデジタルビデオもある。その他、ネットワーク上にフォトストレージを設置し、ネットワーク経由でフォトストレージに記憶されている画像ファイルを取得して当該画像ファイルから生成した画像データの画像を印刷するものとしてもよい。また、画像形成装置２００に着脱可能な可搬性メモリを挿入するソケットを設け、可搬性メモリに格納された画像ファイルを読み出して画像データを生成して印刷するものとしてもよい。また、汎用的なＰＣに代え、本画像形成装置専用の端末とするなど、種々のデータ供給装置としてもよい。これらのデータ供給装置は画像形成装置の構成要素としてもよいし、画像形成装置の外部に接続した別の装置としてもよい。また、ホスト装置２１１をＰＣとした場合、ＰＣの記憶装置に、ＯＳ、画像データを生成するアプリケーションソフトウェア、画像形成装置２００用のプリンタドライバがインストールされる。プリンタドライバは、本画像形成装置２００を制御したり、アプリケーションソフトウェアから供給された画像データを画像形成装置２００が扱える形式に変換して印刷データを生成したりする。また、印刷データから画像データへの変換をホスト装置２１１側で行ってから画像形成装置２００に供給するようにしてもよい。なお、以上の処理の全てをソフトウェアで実現することは必須ではなく、一部または全部をＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアによって実現するようにしてもよい。ホスト装置２１１から供給される画像データやその他のコマンド、更にステータス信号等は、外部Ｉ／Ｆ２０５を介して画像形成装置２００と送受信可能である。外部Ｉ／Ｆ２０５はローカルＩ／ＦであってもネットワークＩ／Ｆであってもよい。また、外部Ｉ／Ｆ２０５は、有線による接続であっても無線による接続であっても構わない。
【００３９】
画像形成装置２００内の上記した各構成はシステムバス２１０を介して接続され、互いに通信可能である。
【００４０】
なお、以上の例では、１つのＣＰＵ２０１が図２に示した画像形成装置２００内の全ての構成要素を制御するものとしたが、この構成以外としてもよい。即ち、各機能ブロックのいくつかが別途ＣＰＵを備え、それぞれのＣＰＵによって個別に制御するものとしてもよい。また、各機能ブロックは図２に示した構成以外の分担のさせ方により個別の処理部または制御部として適宜分割したり、いくつかを統合したりするなど、種々の形態を採用可能である。また、メモリからのデータの読み出しにはＤＭＡＣ（Ｄｉｒｅｃｔ  Ｍｅｍｏｒｙ  Ａｃｃｅｓｓ  Ｃｏｎｔｒｏｌｌｅｒ）も用いることもできる。
【００４１】
以上のような構成において、画像形成装置２００によりロールシートを用いた印刷を行わせる場合、以下の手順となる。
【００４２】
まず、画像形成装置２００が新たな印刷ジョブを受け付けると、一旦ＨＤＤ２０４に格納する。そしてＨＤＤ２０４に格納された印刷ジョブに設定されている印刷設定（使用可能なシートのサイズ及び材質、印刷モード（片面印刷、両面印刷、製本印刷等）等を確認する。そしてこの印刷設定の確認の結果、当該印刷ジョブにおける印刷順序（ページ順序）が決定される。即ち、フェイスダウン排出を行う場合、片面印刷であれば、ページの若い順に印刷が実行されるように決定する。シートの両面に印刷を行う場合（両面印刷、製本印刷）は、先頭ページとは反対面に配置されるページを、最もページ数の大きいページから順に降順でシートの第一面に、その後第２面にその反対面に配置するページを昇順で印刷するよう決定する。通常の両面印刷の場合、第１面に偶数ページを降順で連続して印刷させ、その後第２面に奇数ページを昇順で連続して印刷させるように印刷順序を決定する。また、画像形成装置２００はシートの両面への印刷を行う場合であって前後の印刷ジョブで同じシートを使用可能な場合、複数の印刷ジョブの第１面を連続して印刷させ、その後第２面への印刷を連続して印刷させる。これによりシートの反転回数を減らす。従って、印刷順序を決定する際、前後の印刷ジョブの印刷設定を確認し、その結果に従って印刷順序が決定される。このとき対象の印刷ジョブの印刷設定及び前後の印刷ジョブの印刷設定に基づきなるべく同一のシートを用いた印刷を連続して行えるよう使用すべきシートも決定する。
【００４３】
なお、複数のページ（画像）を連続して印刷する、とは単にシートの同一面に配置されるページを連続して印刷させるものであり、ページ間の隙間の有無を問うものではない。即ち、ページ間に余白を設けたものも含む。また、印刷ジョブのページ構成によっては印刷される画像が存在しないページもあり得る。
【００４４】
また、新たな印刷ジョブを受け付ける毎にＨＤＤ２０４に設けられるキューに順次印刷ジョブが登録される。そして、上記での印刷設定の確認結果に従い、キューに含まれる印刷ジョブで使用するシートのシート情報（サイズ及び材質）、シート情報に基づく使用予定のカセット、印刷ジョブのステータス（進捗やエラーの可否）がＨＤＤ２０４内で管理される。また、各ジョブの印刷の内容に基づき各印刷ジョブが開始される時刻（日時）、所要時間も算出され、これらの情報も管理される。
【００４５】
そして以上のように印刷順序が決定されると、キューの先頭の印刷ジョブから順に印刷が完了するように、印刷ジョブの印刷データが画像処理部２０７に供給される。シートの両面に印刷させる場合、上記のように複数の印刷ジョブの第１面に配置されるページが連続して印刷される。そのため、連続して印刷させる複数の印刷ジョブのうち最後尾の印刷ジョブの印刷データから先に画像処理部２０７に供給される（フェイスダウン排出の場合）。即ち、シートの第１面に、連続して印刷される印刷ジョブの最後尾の印刷ジョブの先頭ページとは反対面に配置されるページ群のうち最後尾のページから降順で印刷が開始され、最後に先頭の印刷ジョブの、当該面に配置される先頭のページが印刷されるようにする。すると、シートの第２面では先頭の印刷ジョブの先頭ページから印刷が行われ、順次次の印刷ジョブの第２面への印刷へと移っていく。これにより結果として先頭の印刷ジョブからフェイスダウン排出が行われ、印刷が完了する。
【００４６】
画像処理部２０７が受け付けた印刷データに従って生成した印刷対象の画像データは順次ＨＤＤ２０４に格納される。そしてＨＤＤ２０４に格納された画像データは、決定した印刷順序に従って順次エンジン制御部２０８に供給される。このとき、印刷ジョブに設定されている印刷設定等の属性に基づく、シートのどちらの面に印刷するための画像データであるか（両面に印刷する場合）、ページ番号、そして印刷ジョブを特定可能な情報も画像データとともにエンジン制御部２０８に通知される。またＨＤＤ２０４に格納される画像は印刷の方法等に応じて９０度単位で回転処理が施されることもある。
【００４７】
この画像データを受け取ったエンジン制御部２０８は印刷する画像のサイズに応じたシートカセットからシートを供給させるとともにヘッドユニット１０５による印刷位置まで搬送させる。そして印刷ヘッド１０６から画像データに応じてインクを吐出させシート上に画像を形成させる。印刷済みの画像はスキャナユニット１０７により印刷の成否が判定され、正しく印刷されていると判定されれば乾燥ユニット１１２による乾燥処理が行われる。正しく印刷されていないと判定されればカッタユニット１１０によるシートの切断が行われ、仕分けユニット１１４の各トレーのうち、不良物を排出するトレー（例えば最下部にあるトレー）に排出させる。そして正しく印刷されたかった分は再印刷を行わせるべくエンジン制御部２０８への画像データの再供給を行い、上記処理を繰り返す。シートの両面に印刷させる場合は表裏の画像の両方が正しく印刷されている場合以外は再印刷を行わせる。
【００４８】
また、エンジン制御部２０８による印刷を実行している印刷ジョブが片面印刷であった場合、画像が印刷されたシートはページ単位でカッタユニット１１０による切断を行わせる。そして切断されたシートは仕分けユニット１１４の指定されたトレーに排出される。一方、シートの両面に印刷させる印刷ジョブであり、第１面への印刷を複数ページ連続させる場合、第１面への印刷を行ってもページ単位ではカッタユニット１１０による切断を行わせず、最後尾のページを印刷させた後に切断させる。第１面に画像が印刷されたシートはシート巻取りユニット１１３に供給され、第２面への印刷を行う際、シート巻取りユニット１１３を逆回転させ、切断面からヘッドユニット１０５の方にシートを供給させる。そして第２面への印刷が行われるとページ単位でカッタユニット１１０による切断を行わせる（印刷設定によってはページ単位で切断されないこともある）。そして印刷及び切断済みのシートは仕分けユニット１１４の指定されたトレーに排出される。また、裏面印字ユニット１１１による情報の印字を行うよう設定されている場合、シートが切断された後、裏面印字ユニット１１１による印字も行われる。
【００４９】
以上のようにして一連の印刷処理が順次行われ、印刷処理の進行とともにキューで管理している印刷ジョブの情報も更新される。
【００５０】
図３（ｂ）は、両面印刷に際し、ジョブを跨って同一面に配置されるページを連続して印刷させる場合の印刷順序を示す図である。この例はフェイスアップ排出を行う場合の印刷順序である。フェイスダウン排出を行う場合は第２面の最後に１ページ目が印刷されるように印刷順序が決定される。互いに異なる印刷ジョブである、ジョブＡ、ジョブＢ、ジョブＣが画像形成装置２００に入力され、これらのジョブが図に示すような配置で印刷するよう指示されたとする。また、シートの同一面に配置される各ページのシート種別に関わる印刷設定は同一であったとする。
【００５１】
そして、ジョブを跨って同一面に配置されるページを連続して印刷させる場合、各ページの印刷順序は次の順序となる。即ち、ジョブＡの１ページ目、ジョブＡの３ページ目、ジョブＢの１ページ目、・・・、ジョブＣの３ページ目を印刷し、シートの切断及び反転を行い、ジョブＣの４ページ目、ジョブＣの２ページ目、・・・、ジョブＡの２ページ目の順に印刷する。従って、３つの印刷ジョブを実行するにあたってシートの切断及び反転は１回で済む。
【００５２】
一方、ジョブ毎に両面印刷を行う場合は、図３（ａ）に示す手順となる。即ち、ジョブＡの１ページ目、３ページ目を印刷し、シートの切断及び反転を行い、４ページ目、２ページ目の順に印刷する。そしてこのシートを供給していたシートカセットはシートが切断された後、残ったシートの巻き戻しを行う。その後、ジョブＢの実行のため再度シートの供給を開始し、ジョブＢの１ページ目、３ページ目を印刷し、シートの切断及び反転を行い、４ページ目、２ページ目の順に印刷する。そしてシートの巻き戻し及び再供給を行ってジョブＣについても同様に処理する。従って、この場合には、３つの印刷ジョブを実行するにあたってシートの切断、反転をそれぞれ３回行い、巻き戻し、再供給をそれぞれ少なくとも２回行う必要がある。従って、図３（ｂ）のような印刷順序とすることでシートの切断、反転、巻き戻し、再供給の回数をできるだけ減らし、複数の印刷ジョブを効率的に実行可能となる。なお、同一面を連続させるページはジョブ単位ではなく、ジョブの途中としても構わない。
【００５３】
なお、以上の例は複数の両面印刷ジョブを連続して行うものを示したが、片面印刷ジョブと両面印刷ジョブにおいて同一面への印刷を連続させるようにしても同様に効率的な印刷を実行することができる。
【００５４】
次に以上のような手順で印刷が行われている場合に、ユーザにより印刷の中止が指示された場合の処理について説明する。ここで、印刷の中止の方法として、中止可能なタイミングで即座に中止する、所定の区切りまで印刷を継続させてから中止する、両面印刷の第１面の印刷中であれば第１面の印刷を中止して第２面の印刷に移る、の３種類を選択可能とする。なお、中止可能なタイミングをどのような状態とするか、所定の区切りをどのように決めるか、などは複数のパターンを用意することは可能である。しかしながら、ここでは中止可能なタイミングとして１ページ分を完了させたタイミング、所定の区切りとして１つの印刷ジョブの区切りとする。
【００５５】
また、ユーザにより操作部２０６から、あるいはホスト装置２１１から印刷中止の指示がなされたことを画像形成装置２００が検知した場合、即座に印刷を中止させるか、所定の区切りまで印刷を継続させてから中止するかは種々の手順で決定させることができる。例えば、ユーザにより中止の指示がなされたとき、いずれの中止の方法とするかを予めＨＤＤ２０４等に登録しておき、この登録内容に従って決定する。または、操作部２０６またはホスト装置２１１から、どのような操作で中止が指示されたかに応じて決定する。この場合、例えば中止方法毎に異なるボタンを用意し、どのボタンが押されたかを判断する。または中止指示がなされたときに中止方法の選択を促すダイアログ等を表示し、それに対してユーザが中止方法を選択することにより決定する。なお、印刷の中止を指示されてから中止方法を選択させる場合、現在なされている印刷がどのような状態であるかを操作部２０６に表示させるようにすればユーザはより適切に中止方法の選択が可能である。即ち、現在両面印刷の第１面の印刷の途中である、第２面の印刷の途中である、片面印刷中である、後続の２つの印刷ジョブがある、などを表示し、それに対してユーザが中止方法を選択する。また、ジョブの状況の表示としては、単に現在どのジョブのどちらの面の何ページ目を印刷させているか示したり、図３のように具体的な印刷順序とその進行状況を模式化した図で示したりしてもよい。なお、中止方法は、これら以外の種々の決定方法を採用可能である。
【００５６】
図４は、印刷中止の指示がなされた場合の処理の流れを示すフローチャートである。このフローチャートは、ＣＰＵ２０１が、ＲＯＭ２０２またはＨＤＤ２０４に格納されている制御プログラムをＲＡＭ２０３にロードし、それを実行することにより行われる処理の流れを示す。
【００５７】
Ｓ４０１において、ＣＰＵ２０１がユーザにより印刷中止が指示されたことを検知するとＳ４０２に進む。ここでの検知は操作部２０６を介して印刷中止の指示がなされたことを検知するか、ホスト装置２１１からの印刷中止を示すコマンドを外部Ｉ／Ｆ２０５を介して受信したことを検知するものである。
【００５８】
Ｓ４０２では、現在実行されている印刷（中止対象となるもの）が両面印刷であるか判断される。ここで肯定判断が行われた場合はＳ４０３に進み、否定判断が行われた場合はＳ４０４に進む。
【００５９】
Ｓ４０３では、現在実行中の印刷が両面印刷の第１面の印刷中であるか判断する。ここで肯定判断が行われた場合はＳ４０８に進み、否定判断が行われた場合はＳ４０４に進む。
【００６０】
Ｓ４０４〜４０６は、Ｓ４０２から分岐した場合と、Ｓ４０３から分岐した場合とで異なる処理を行うが、ここでは説明の簡単のため同一のステップとした。Ｓ４０４では、印刷中止に際してジョブの区切りまでは継続し、それ以降の印刷を中止することが選択されているか判断する。ここで肯定判断が行われた場合はＳ４０５に進み、否定判断が行われた場合はＳ４０６に進む。
【００６１】
Ｓ４０５では、既に印刷が開始されていた印刷ジョブの印刷が完了するまでは印刷を継続させ、それ以降の印刷は中止させる。ここでは、Ｓ４０２から分岐してきた場合は片面印刷の場合なので、ページ単位でシートの切断が行われる。Ｓ４０３から分岐してきた場合は両面印刷の第２面の印刷を行っていた場合であり、既に第２面の印刷が開始されていた印刷ジョブの印刷が完了するまでは印刷を継続させ、それ以降の印刷は中止させる。このとき、適切に印刷が完了したジョブについてはページ単位でのシートの切断が実行され、第１面のみの印刷がなされて中止された分はページ間が繋がったままとなる。これらのシートはＳ４０７で仕分けユニット１１４のトレーに排出されるが、適切に印刷が完了したものと不完全なものとは異なるトレーに排出される。既に待ち行列にセットされていた後続の未完の印刷ジョブはキャンセルしてもよいし、キャンセルさせずに保持させるようにしてもよい。
【００６２】
Ｓ４０６では、既に印刷が開始されていたページに関しては当該ページの印刷を完了させ、それ以降の印刷は中止させる。ここでは、Ｓ４０２から分岐してきた場合は片面印刷の場合であり、当該ページの印刷が完了したらシートを切断しＳ４０７でトレーに排出し、以降の印刷は行わずシートの巻き戻しを行う。Ｓ４０３から分岐してきた場合は両面印刷の第２面の印刷を行っていた場合であり、当該ページの印刷が完了したらシートを切断しＳ４０７でトレーに排出し、以降の印刷は行わず第１面のみに印刷され、第２面への印刷が行われなかった分も別のトレーに排出させる。
【００６３】
Ｓ４０８では、中止方法が第１面の印刷を当該ページの完了後に、例え後続のページが存在しても中止させ、第２面へ切り替えるものであるか、即ち第２面の印刷へ即時切り替えするか判断する。ここで肯定判断がなされた場合はＳ４０９に進み、否定判断がなされた場合はＳ４１２に進む。
【００６４】
Ｓ４０９では、印刷が開始されていた第１面のページの印刷の完了を待って印刷を中止させ、Ｓ４１０でシートの切断及び反転を行う。そして当初の印刷順序から変更し、Ｓ４１１で第１面への印刷がなされた分についてその反対面（第２面）の印刷を行う。そしてページ単位で切断されたシートがＳ４０７において所定のトレーに排出される。
【００６５】
Ｓ４１２では、印刷中止に際してジョブの区切りまでは継続し、それ以降の印刷を中止することが選択されているか判断する。ここで肯定判断が行われた場合はＳ４１３に進み、否定判断が行われた場合はＳ４１４に進む。
【００６６】
Ｓ４１３では、印刷が開始されていた第１面の印刷を、ジョブの区切りまでは継続させ、後続のジョブが存在していたとしてもここで第１面の印刷を中止させる。そして以降はＳ４１０に進み、先の説明と同様にシートの切断及び反転、Ｓ４１１における第２面の印刷、Ｓ４０７におけるシートの排出を行う。
【００６７】
Ｓ４１４では、印刷が開始されていたページに関しては当該ページの印刷を完了させ、それ以降の印刷は中止させる。そしてシートを切断し、第２面への印刷がなされない状態でＳ４０７においてシートの排出を行う。
【００６８】
なお、以上の例では、Ｓ４０８の肯定判断によりＳ４１１に進んだ場合の第２面の印刷では第１面の印刷が行われたもの全てについて反対面の印刷を行うものとした。しかしながら、第１面の印刷がジョブの途中で終了したものについては不完全なものであるため第２面の印刷を行わないようにしてもよい。例えば、図３（ｂ）のＪｏｂ  Ｂの１ページ目を印刷中に印刷中止の指示がなされた場合、第２面の印刷に移ったときＪｏｂ  Ｂの２ページ目は印刷せずにシートを搬送させ、Ｊｏｂ  Ａの４ページ目、２ページ目を印刷する。これによりジョブとして不完全な分の第２面の印刷は省略し、記録剤の無駄を防止できる。この場合、Ｊｏｂ  Ｂの第１面のみが印刷されたシートは適切に印刷できたものとは異なるトレー（不良物を排出するトレー）に排出し、シートの混在を防ぐのが好ましい。
【００６９】
また、以上の例ではＳ４０３で否定判断がなされ、第２面の印刷中に印刷を中止させる場合、ジョブの区切りまで継続させるか、あるいはジョブの途中であっても印刷を中止し、後続のものは印刷を行わないものとした。しかしながら、第１面の印刷を完了させたものについては第２面の印刷を行わせるようにしてもよい。即ち、図３（ｂ）において、Ｊｏｂ  Ｂの４ページ目を印刷しているときに印刷中止の指示がなされた場合、Ｊｏｂ  Ｂの２ページ目の印刷は行わずにシートを搬送させ、Ｊｏｂ  Ａの４ページ目、２ページ目の印刷を行う。これは、既にＪｏｂ  Ａの１ページ目、３ページ目の印刷は終えており、その反対面の印刷を完了させ、Ｊｏｂ  Ａの完成品を得られるようにするためである。ここではＪｏｂ  Ｂのみが不完全なものとなり、Ｊｏｂ  Ｂの印刷物（シート）が不良物を排出するトレーに排出される。
【００７０】
また、図３（ｂ）のように連続して印刷を行うものとして既に印刷順序が決定しているジョブ群のうち、印刷中止の指示がなされた場合に印刷が実行されていたジョブのみ印刷を中止し、他の印刷ジョブは印刷を実行させるようにしてもよい。例えば、Ｓ４０３で否定判定されたのが、図３（ｂ）のＪｏｂ  Ｂの１ページ目、あるいは３ページ目の印刷を行っている最中であった場合、Ｊｏｂ  Ｂの印刷のみを中止対象とし、Ｊｏｂ  Ｃの印刷に移る。そして、Ｊｏｂ  Ｃの第２面の印刷を行い、Ｊｏｂ  Ｂの第２面は印刷を行わずそのサイズ分、シートを搬送させ、Ｊｏｂ  Ａの第２面への印刷を行う。ここではＪｏｂ  Ｂの印刷物のみが不良物を排出するトレーに排出される。これによって、印刷中止を指示した時点で印刷を行っていたジョブのみを中止対象とし、他の印刷ジョブは適切に実行させることができる。
【００７１】
なお、図４等に示した処理において、印刷状況の判断や中止方法の判断の順序は上述のものには限らない。先に中止方法の判断を行ってから印刷状況の判断を行うようにしてもよい。
【００７２】
以上説明したように本実施形態によれば、印刷中止の指示がなされた場合、シートや記録剤などの無駄をできるだけ抑えてユーザが意図したジョブの印刷を中止させることができる。即ち、第１面への印刷を行っているものについて第２面への印刷を完了させてから中止するようにすれば、これによる印刷物を完成品として扱うことが可能となる。一方、第２面への印刷を行わないようにした場合、記録剤の無駄を防ぐことができる。また、複数の中止方法の中から適切な方法で中止させることができるので、種々の状況に合わせた中止を実現できる。
【００７３】
なお、以上の説明において、印刷を行う部分を除いた、印刷順序のスケジューリング、シートの使用順等の処理をホスト装置や外付けコントローラなどの外部装置で実現し、それに従って画像形成装置に印刷を実行させるようにしてもよい。その際、外部装置は画像形成装置からステータス（現在の印刷状況等の情報）を取得して中止方法を決定したり印刷順序を決定したりすることになる。この場合、外部装置が印刷制御装置として機能することになる。
【００７４】
また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。また、プログラムは、１つのコンピュータで実行させても、複数のコンピュータが連動して実行するようにしてもよい。また、上記した処理の全てをソフトウェアで実現する必要はなく、一部または全部をハードウェアによって実現するようにしてもよい。
【００７５】
また、本発明は上記実施形態に限定されるものではなく、本発明の趣旨に基づき種々の変形（他の実施形態への応用、他の実施形態との組合せ等を含む）も可能である。
【図１】
0006025943.tif 000002
【図２】
0006025943.tif 000003
【図３】
0006025943.tif 000004
【図４】
0006025943.tif 000005